(57)【特許請求の範囲】
【請求項１】
場所に関する情報である場所関連情報と、その場所の位置を表す場所位置情報とを対応付けた場所情報を、場所ごとに複数記憶する場所情報記憶部と、
画像を撮影した位置を表す撮影位置情報と、その画像とを関連付けた複数の画像データを、通信ネットワークを介して接続された装置から受信する画像データ受信部と、
前記画像データ受信部が受信した前記画像データの前記撮影位置情報と、前記場所情報記憶部に記憶された前記場所位置情報とに基づいて、前記場所情報ごとに前記画像データを分類する画像分類部と、
前記画像分類部による分類ごとに、画像と、その場所情報に対応する前記場所関連情報とが配置され、ユーザによる編集が可能な画像編集画面を生成する編集画面生成部と、
前記編集画面生成部により生成された前記画像編集画面を、通信ネットワークを介して接続された画像編集端末に送信する編集画面送信部と、
を備え、
前記場所情報記憶部は、前記場所情報ごとに、その場所情報に分類するための前記場所位置情報からの距離範囲を含み、
前記画像分類部は、前記画像データの撮影位置情報と、前記場所情報記憶部に記憶された場所位置情報との距離が、前記距離範囲の範囲内であることに応じて、前記場所情報に対応付けて分類すること、
を特徴とする画像編集支援装置。
【請求項２】
場所に関する情報である場所関連情報と、その場所の位置を表す場所位置情報とを対応付けた場所情報を、場所ごとに複数記憶する場所情報記憶部と、
画像を撮影した位置を表す撮影位置情報と、その画像とを関連付けた複数の画像データを、通信ネットワークを介して接続された装置から受信する画像データ受信部と、
前記画像データ受信部が受信した前記画像データの前記撮影位置情報と、前記場所情報記憶部に記憶された前記場所位置情報とに基づいて、前記場所情報ごとに前記画像データを分類する画像分類部と、
前記画像分類部による分類ごとに、画像と、その場所情報に対応する前記場所関連情報とが配置され、ユーザによる編集が可能な画像編集画面を生成する編集画面生成部と、
前記編集画面生成部により生成された前記画像編集画面を、通信ネットワークを介して接続された画像編集端末に送信する編集画面送信部と、
を備え、
前記画像分類部は、
前記画像データの撮影位置情報から所定範囲内に含まれる前記場所情報記憶部の場所位置情報のうち、最短の距離に有する前記場所位置情報に対応する場所情報を特定して分類し、
前記画像データの撮影位置情報から所定範囲内に含まれる前記場所情報記憶部の場所情報を有さない場合には、分類不能として分類すること、
を特徴とする画像編集支援装置。
【請求項３】
場所に関する情報である場所関連情報と、その場所の位置を表す場所位置情報とを対応付けた場所情報を、場所ごとに複数記憶する場所情報記憶部と、
画像を撮影した位置を表す撮影位置情報と、その画像とを関連付けた複数の画像データを、通信ネットワークを介して接続された装置から受信する画像データ受信部と、
前記画像データ受信部が受信した前記画像データの前記撮影位置情報と、前記場所情報記憶部に記憶された前記場所位置情報とに基づいて、前記場所情報ごとに前記画像データを分類する画像分類部と、
前記画像分類部による分類ごとに、画像と、その場所情報に対応する前記場所関連情報とが配置され、ユーザによる編集が可能な画像編集画面を生成する編集画面生成部と、
前記編集画面生成部により生成された前記画像編集画面を、通信ネットワークを介して接続された画像編集端末に送信する編集画面送信部と、
を備え、
前記編集画面生成部は、同じ場所情報に分類にされた画像の数に応じてその画像領域を変化させて、生成する前記画像編集画面に、同じ場所情報に分類にされた全ての画像と、その分類の場所情報に対応する前記場所関連情報とを配置すること、
を特徴とする画像編集支援装置。
【請求項４】
場所に関する情報である場所関連情報と、その場所の位置を表す場所位置情報とを対応付けた場所情報を、場所ごとに複数記憶する場所情報記憶部と、
画像を撮影した位置を表す撮影位置情報と、その画像とを関連付けた複数の画像データを、通信ネットワークを介して接続された装置から受信する画像データ受信部と、
前記画像データ受信部が受信した前記画像データの前記撮影位置情報と、前記場所情報記憶部に記憶された前記場所位置情報とに基づいて、前記場所情報ごとに前記画像データを分類する画像分類部と、
前記画像分類部による分類ごとに、画像と、その場所情報に対応する前記場所関連情報とが配置され、ユーザによる編集が可能な画像編集画面を生成する編集画面生成部と、
前記編集画面生成部により生成された前記画像編集画面を、通信ネットワークを介して接続された画像編集端末に送信する編集画面送信部と、
通信ネットワークを介して接続された装置から位置情報と共に場所の登録要求を受信する登録要求受信部と、
前記登録要求受信部により前記登録要求を受信したことに応じて、受信した位置情報を場所位置情報として、場所情報を、前記場所の登録要求をするユーザに対応付けて前記場所情報記憶部に登録する場所情報登録部と、
を備え、
前記画像分類部は、前記場所情報登録部により登録された前記場所情報のユーザと、画像データを送信したユーザとが同じユーザである場合には、登録された前記場所情報を含んで前記画像データを分類すること、
を特徴とする画像編集支援装置。
【請求項５】
請求項４に記載の画像編集支援装置において、
ユーザと、そのユーザに対してデータを共有可能な他のユーザとを関連付けて記憶する共有記憶部を備え、
前記画像分類部は、前記場所情報登録部により登録された前記場所情報のユーザと、画像データを送信したユーザとが前記共有記憶部により関連付けられている場合には、登録された前記場所情報を含んで前記画像データを分類すること、
を特徴とする画像編集支援装置。
【請求項６】
場所に関する情報である場所関連情報と、その場所の位置を表す場所位置情報とを対応付けた場所情報を、場所ごとに複数記憶する場所情報記憶部と、
ユーザと、そのユーザに対してデータを共有可能な他のユーザとを関連付けて記憶する共有記憶部と、
画像を撮影した位置を表す撮影位置情報と、その画像とを関連付けた複数の画像データを、前記ユーザに対応付けて通信ネットワークを介して接続された装置から受信する画像データ受信部と、
前記画像データ受信部が受信した前記画像データの前記撮影位置情報と、前記場所情報記憶部に記憶された前記場所位置情報とに基づいて、前記場所情報ごとに前記画像データを分類する画像分類部と、
前記画像分類部による分類ごとに、画像と、その場所情報に対応する前記場所関連情報とが配置され、ユーザによる編集が可能な画像編集画面を生成する編集画面生成部と、
前記編集画面生成部により生成された前記画像編集画面を、通信ネットワークを介して接続された画像編集端末に送信する編集画面送信部と、
を備え、
前記編集画面生成部は、前記ユーザに対応付けられた画像と、前記他のユーザに対応付けられた画像とを識別可能にして、前記画像編集画面を生成すること、
を特徴とする画像編集支援装置。
【請求項７】
請求項１から請求項６までのいずれかに記載の画像編集支援装置において、
前記編集画面生成部は、複数の画像データが連写によるものである場合には、そのうちの１つの画像を配置して、連写による画像であることを識別可能にして、前記画像編集画面を生成すること、
を特徴とする画像編集支援装置。
【請求項８】
請求項１から請求項７までのいずれかに記載の画像編集支援装置において、
前記画像データは、テキスト情報をさらに関連付けており、
前記編集画面生成部は、画像に近接した位置に、前記テキスト情報を配置すること、
を特徴とする画像編集支援装置。
【請求項９】
請求項１から請求項８までのいずれかに記載の画像編集支援装置としてコンピュータを機能させることを特徴とするプログラム。
【発明の詳細な説明】
【技術分野】
【０００１】
本発明は、画像編集支援装置及びプログラムに関する。
【背景技術】
【０００２】
従来、デジタルカメラや、スマートフォン等の普及によって、画像を撮影する機会が増えている。そして、撮影した画像を、ネットワーク上にアップロードして保存することが行われている。
また、アップロードした画像を、端末でアルバムのように閲覧できる電子アルバムの技術も開示されている（例えば、特許文献１）。
【先行技術文献】
【特許文献】
【０００３】
【特許文献１】特開２０１２−２５２４０９号公報
【発明の概要】
【発明が解決しようとする課題】
【０００４】
ここで、画像をプリントしてアルバムのように閲覧したいニーズが存在する。そして、そのニーズに応えるものとして、フォトブックが存在する。フォトブックは、ユーザが画像を配置したり、コメントを入れたりすることで作成するが、それらの作業を簡易に行えるのが望ましい。
【０００５】
本発明は、画像編集を簡易に行うことが可能な画像編集支援装置及びプログラムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、場所に関する情報である場所関連情報と、その場所の位置を表す場所位置情報とを対応付けた場所情報を、場所ごとに複数記憶する場所情報記憶部（２３）と、画像を撮影した位置を表す撮影位置情報と、その画像とを関連付けた複数の画像データを、通信ネットワーク（Ｎ）を介して接続された装置（３，２０３）から受信する画像データ受信部（１１）と、前記画像データ受信部が受信した前記画像データの前記撮影位置情報と、前記場所情報記憶部に記憶された前記場所位置情報とに基づいて、前記場所情報ごとに前記画像データを分類する画像分類部（１２，２１２）と、前記画像分類部による分類ごとに、画像と、その場所情報に対応する前記場所関連情報とが配置され、ユーザによる編集が可能な画像編集画面（６０，２６０）を生成する編集画面生成部（１４，２１４）と、前記編集画面生成部により生成された前記画像編集画面を、通信ネットワークを介して接続された画像編集端末（５）に送信する編集画面送信部（１５）と、を備える画像編集支援装置（１，２０１）である。
第２の発明は、第１の発明の画像編集支援装置（１，２０１）において、前記画像分類部（１２，２１２）は、前記画像データの撮影位置情報と、前記場所情報記憶部（２３）に記憶された場所位置情報との距離に応じて、前記場所情報を特定して分類すること、を特徴とする画像編集支援装置である。
第３の発明は、第２の発明の画像編集支援装置（１，２０１）において、前記場所情報記憶部（２３）は、前記場所情報ごとに、その場所情報に分類するための前記場所位置情報からの距離範囲を含み、前記画像分類部（１２，２１２）は、前記画像データの撮影位置情報と、前記場所情報記憶部に記憶された場所位置情報との距離が、前記距離範囲の範囲内であることに応じて、前記場所情報に対応付けて分類すること、を特徴とする画像編集支援装置である。
第４の発明は、第２の発明又は第３の発明の画像編集支援装置（１，２０１）において、前記画像分類部（１２，２１２）は、前記画像データの撮影位置情報から所定範囲内に含まれる前記場所情報記憶部（２３）の場所位置情報のうち、最短の距離に有する前記場所位置情報に対応する場所情報を特定して分類し、前記画像データの撮影位置情報から所定範囲内に含まれる前記場所情報記憶部の場所情報を有さない場合には、分類不能として分類すること、を特徴とする画像編集支援装置である。
第５の発明は、第１の発明から第４の発明までのいずれかの画像編集支援装置（１，２０１）において、前記編集画面生成部（１４，２１４）は、同じ場所情報に分類にされた画像の数に応じてその画像領域を変化させて、生成する前記画像編集画面（６０，２６０）に、同じ場所情報に分類にされた全ての画像と、その分類の場所情報に対応する前記場所関連情報とを配置すること、を特徴とする画像編集支援装置である。
第６の発明は、第１の発明から第５の発明までのいずれかの画像編集支援装置（２０１）において、前記編集画面生成部（２１４）は、複数の画像データが連写によるものである場合には、そのうちの１つの画像を配置して、連写による画像であることを識別可能にして、前記画像編集画面（２６０）を生成すること、を特徴とする画像編集支援装置である。
第７の発明は、第１の発明から第６の発明までのいずれかの画像編集支援装置（２０１）において、前記画像データは、テキスト情報をさらに関連付けており、前記編集画面生成部（２１４）は、画像に近接した位置に、前記テキスト情報を配置すること、を特徴とする画像編集支援装置である。
第８の発明は、第１の発明から第７の発明までのいずれかの画像編集支援装置（１，２０１）において、通信ネットワーク（Ｎ）を介して接続された装置（３）から位置情報と共に場所の登録要求を受信する登録要求受信部（１７）と、前記登録要求受信部により前記登録要求を受信したことに応じて、受信した位置情報を場所位置情報として、場所情報を前記場所情報記憶部（２３）に登録する場所情報登録部（１８）と、を備えること、を特徴とする画像編集支援装置である。
第９の発明は、第８の発明の画像編集支援装置（１，２０１）において、前記場所情報登録部（１８）は、場所の登録要求をするユーザと、場所情報とを対応付けて前記場所情報記憶部（２３）に登録し、前記画像分類部（１２，２１２）は、前記場所情報登録部により登録された前記場所情報のユーザと、画像データを送信したユーザとが同じユーザである場合には、登録された前記場所情報を含んで前記画像データを分類すること、を特徴とする画像編集支援装置である。
第１０の発明は、第９の発明の画像編集支援装置（２０１）において、ユーザと、そのユーザに対してデータを共有可能な他のユーザとを関連付けて記憶する共有記憶部（２２５）を備え、前記画像分類部（２１２）は、前記場所情報登録部（１８）により登録された前記場所情報のユーザと、画像データを送信したユーザとが前記共有記憶部により関連付けられている場合には、登録された前記場所情報を含んで前記画像データを分類すること、を特徴とする画像編集支援装置である。
第１１の発明は、第１の発明から第１０の発明までのいずれかの画像編集支援装置（２０１）において、ユーザと、そのユーザに対してデータを共有可能な他のユーザとを関連付けて記憶する共有記憶部（２２５）を備え、前記画像データ受信部（１１）は、前記ユーザに対応付けて前記画像データを受信し、前記編集画面生成部（２１４）は、前記ユーザに対応付けられた画像と、前記他のユーザに対応付けられた画像とを識別可能にして、前記画像編集画面を生成すること、を特徴とする画像編集支援装置である。
【０００８】
第１２の発明は、第１の発明から第１１の発明までのいずれかの画像編集支援装置（１，２０１）としてコンピュータを機能させることを特徴とするプログラムである。
【発明の効果】
【０００９】
本発明によれば、画像編集を簡易に行うことが可能な画像編集支援装置及びプログラムを提供することができる。
【図面の簡単な説明】
【００１０】
【図１】第１実施形態に係る画像編集支援装置の全体構成及び機能ブロックを示す図である。
【図２】第１実施形態に係る画像編集支援サーバの見所ＤＢの例を示す図である。
【図３】第１実施形態に係る携帯端末でのメイン処理を示すフローチャートである。
【図４】第１実施形態に係る携帯端末の表示例を示す図である。
【図５】第１実施形態に係る画像編集支援サーバの受信処理を示すフローチャートである。
【図６】第１実施形態に係る画像編集支援サーバの画像分類処理を示すフローチャートである。
【図７】第１実施形態に係る画像編集支援システムのフォトブック作成処理を示すフローチャートである。
【図８】第１実施形態に係る端末に表示される画像編集画面の例を示す図である。
【図９】第２実施形態に係る画像編集支援システムの全体構成及び機能ブロックを示す図である。
【図１０】第２実施形態に係る携帯端末の表示例を示す図である。
【図１１】第２実施形態に係る画像編集支援サーバの画像分類処理を示すフローチャートである。
【図１２】第２実施形態に係る画像編集支援システムのフォトブック作成処理を示すフローチャートである。
【図１３】第２実施形態に係る端末に表示される画像編集画面の例を示す図である。
【発明を実施するための形態】
【００１１】
以下、本発明を実施するための形態について、図を参照しながら説明する。なお、これは、あくまでも一例であって、本発明の技術的範囲はこれに限られるものではない。
（第１実施形態）
＜画像編集支援システム１００の全体構成＞
図１は、第１実施形態に係る画像編集支援システム１００の全体構成及び機能ブロックを示す図である。
図２は、第１実施形態に係る画像編集支援サーバ１の見所ＤＢ２３の例を示す図である。
画像編集支援システム１００は、撮影位置情報を含む画像データを、撮影位置情報に基づいて見所ごとに分類してフォトブック作成のための画像編集画面を生成し、編集端末に送信する。
【００１２】
図１に示す画像編集支援システム１００は、画像編集支援サーバ１（画像編集支援装置）と、携帯端末３（装置）と、端末５（画像編集端末）とを備えている。画像編集支援サーバ１と、携帯端末３と、端末５とは、通信ネットワークＮとを介して通信可能となっている。通信ネットワークＮとしては、インターネットや携帯電話通信網等が挙げられる。
以降の例では、ユーザが旅行中に携帯端末３を使用して撮影した画像を、画像編集支援サーバ１に対して送信し、旅行後にそのユーザが端末５を使用してフォトブックを作成するものを説明する。
【００１３】
＜画像編集支援サーバ１＞
画像編集支援サーバ１は、携帯端末３から画像データを受信し、フォトブックの作成のための画像編集画面を生成して端末５に送信する処理を行うものである。
画像編集支援サーバ１は、制御部１０と、記憶部２０とを備える。
制御部１０は、画像編集支援サーバ１の全体を制御する中央処理装置（ＣＰＵ）である。制御部１０は、記憶部２０に記憶されているオペレーティングシステム（ＯＳ）やアプリケーションプログラムを適宜読み出して実行することにより、上述したハードウェアと協働し、各種機能を実行する。
【００１４】
制御部１０は、画像データ受信部１１と、画像分類部１２と、編集画面生成部１４と、編集画面送信部１５と、登録要求受信部１７と、見所情報追加登録部１８（場所情報登録部）とを備える。
画像データ受信部１１は、携帯端末３から画像データを受信する。画像データには、画像と、その画像を撮影した位置を表す撮影位置情報を含む。
画像分類部１２は、画像データ受信部１１が受信した画像データの撮影位置情報と、後述する見所ＤＢ（データベース）２３（場所情報記憶部）に記憶された見所位置情報（場所位置情報）とに基づいて、見所（場所情報）ごとに画像データを分類する。その際、画像分類部１２は、画像データの撮影位置情報と、見所ＤＢ２３に記憶された見所位置情報との距離に応じて、見所を特定して分類する。
【００１５】
編集画面生成部１４は、画像分類部１２によって同じ分類にされた画像と、その見所の見所名や紹介文等とを配置して、ユーザによる編集が可能な画像編集画面を生成する。画像編集画面は、後述するテンプレートＤＢ２４のテンプレートにしたがって、画像等を配置した初期配置画面である。
編集画面送信部１５は、編集画面生成部１４により生成された画像編集画面を、端末５に送信する。
登録要求受信部１７は、携帯端末３から送信された位置情報と共に、見所の登録要求を受信する。
見所情報追加登録部１８は、登録要求受信部１７が受信した位置情報を、見所位置情報として見所ＤＢ２３に記憶させる。
なお、各機能の詳細については、後述する。
【００１６】
記憶部２０は、制御部１０が各種の処理を実行するために必要なプログラム、データ等を記憶するためのハードディスク、半導体メモリ素子等の記憶領域である。
記憶部２０は、ユーザＤＢ２１と、エリアＤＢ２２と、見所ＤＢ２３と、テンプレートＤＢ２４とを備える。
ユーザＤＢ２１は、ユーザＩＤ（ＩＤｅｎｔｉｆｉｅｒ）と、エリアＩＤと、旅行日程と、複数の画像データとを対応付けて記憶する記憶領域である。ユーザＩＤは、ユーザを識別する識別情報である。エリアＩＤは、そのユーザが旅行先として設定したエリアを識別するものである。エリアとは、例えば、「鎌倉」、「箱根」等の旅行先として予め設定した範囲をいう。旅行日程とは、「○月○日〜○月△日」や、「×月☆日」というような日付で指定された情報である。複数の画像データは、後述する処理によりユーザがアップロードした画像データである。
エリアＤＢ２２は、エリアＩＤと、エリア名と、見所ＩＤとを対応付けて記憶する記憶領域である。見所ＩＤは、そのエリアの距離範囲にある観光名所等の見所を識別する識別情報である。
【００１７】
見所ＤＢ２３は、見所ＩＤごとにその見所の内容を記憶する記憶領域である。
見所ＤＢ２３は、図２に示すように、見所関連情報部２３ａと、見所位置情報部２３ｂと、ユーザＩＤ部２３ｃとを有する。
見所関連情報部２３ａは、見所ＩＤと、見所名と、紹介画像と、紹介文とを有する。見所ＩＤは、見所を特定するための識別情報である。見所名は、その見所の名称であり、例えば、「○○院（大仏）」等である。紹介画像は、見所を紹介するための画像であり、見所ＤＢ２３に予め記憶しているものである。紹介文は、見所の紹介文である。
見所位置情報部２３ｂは、見所位置情報と、距離範囲とを有する。見所位置情報は、緯度経度で表されたその見所の位置を示す。距離範囲は、見所として許容する距離の範囲である。見所が、例えば、公園等であれば、広い範囲に及ぶので、距離範囲に指定する情報は大きいものになる。他方、見所が、例えば、石碑等であれば、狭い範囲であるので、距離範囲に指定する情報は小さいものになる。
ユーザＩＤ部２３ｃは、後述する処理により、ユーザが見所を追加した場合に、追加したユーザのユーザＩＤを記憶する。
なお、図２中「デフォルト」は、予め記憶されている見所に関するものであり、「追加」は、ユーザにより追加された見所に関するものである。また、図２中「○」は、内容が必須に登録されている項目であり、「△」は、内容が任意に登録されている項目である。
【００１８】
図１に戻り、テンプレートＤＢ２４は、テンプレートを記憶する記憶領域である。テンプレートは、フォトブックを作成するための画像や見所名等の配置位置を指定したものである。テンプレートＤＢ２４には、見所名等や画像の配置位置、見所名等の文字フォント等が異なる複数のテンプレートを記憶している。
通信部２９は、端末５や携帯端末３との間での通信を行うためのインタフェース部である。
なお、本発明でいうコンピュータとは、制御部、記憶装置等を備えた情報処理装置をいい、画像編集支援サーバ１は、制御部１０、記憶部２０等を備えた情報処理装置であり、本発明のコンピュータの概念に含まれる。
【００１９】
＜携帯端末３＞
携帯端末３は、旅行中にユーザが使用する端末である。携帯端末３は、画像データを取得し、その画像データを画像編集支援サーバ１に送信する。携帯端末３は、例えば、スマートフォンに代表される情報端末である。
携帯端末３は、制御部３０と、記憶部３２と、タッチパネルディスプレイ３４と、ＧＰＳ（Ｇｌｏｂａｌ  Ｐｏｓｉｔｉｏｎｉｎｇ  Ｓｙｓｔｅｍ）受信部３６と、撮影部３７と、通信部３９とを備える。
制御部３０は、携帯端末３の全体を制御するＣＰＵである。制御部３０は、記憶部３２に記憶されているＯＳやアプリケーションプログラム（以下、携帯端末３のアプリケーションプログラムを、「アプリ」ともいう。）を適宜読み出して実行することにより、上述したハードウェアと協働し、各種機能を実行する。
記憶部３２は、制御部３０が各種の処理を実行するために必要なプログラム、データ等を記憶するための半導体メモリ素子等の記憶領域である。記憶部３２は、後述する支援アプリ３２ａを備える。
【００２０】
タッチパネルディスプレイ３４は、液晶パネル等で構成される表示部としての機能と、ユーザからの指等によるタッチ入力を検出する入力部としての機能とを有する。
ＧＰＳ受信部３６は、例えば、衛星から受信した電波を利用して、携帯端末３の現在の位置情報（緯度及び経度）を計測するものである。
撮影部３７は、例えば、カメラである。撮影部３７は、被写体の画像を取得する。
通信部３９は、通信ネットワークＮを介して画像編集支援サーバ１との間で通信を行うためのインタフェース部である。
【００２１】
＜端末５＞
端末５は、旅行後にフォトブックを作成する際に、ユーザが使用する端末である。端末５は、例えば、ＰＣ（パーソナルコンピュータ）やタブレット端末に代表される情報端末である。端末５は、制御部、記憶部、通信部、表示部、入力部（いずれも図示せず）を備える。表示部及び入力部は、例えば、タッチパネルディスプレイ等の両方の機能を備えた装置であってもよい。
なお、本発明でいうコンピュータとは、制御部、記憶装置等を備えた情報処理装置をいい、携帯端末３、端末５は、各々制御部、記憶部等を備えた情報処理装置であり、本発明のコンピュータの概念に含まれる。
【００２２】
＜旅行前処理＞
次に、旅行に出かけようとするユーザが、旅行に行く前に行う処理について説明する。
ユーザは、例えば、携帯端末３を使用して、旅行先設定サイトにアクセスする。以下、この例では、旅行先設定サイトは、画像編集支援サーバ１が有するものとして説明する。ユーザは、旅行先設定サイトを使用して、旅行先のエリアと、旅行日程とを入力することで指定する。旅行先設定サイトは、ユーザによる旅行先のエリアの指定を受け付けることで、携帯端末３に見所一覧等を表示させることができる。また、旅行先設定サイトは、旅行中に携帯端末３で使用する支援アプリ３２ａのダウンロードができる。
支援アプリ３２ａは、撮影した画像データに撮影位置情報を関連付けて画像編集支援サーバ１に送信したり、画像編集支援サーバ１に対して見所の追加を行ったりするためのアプリケーションプログラムである。
【００２３】
まず、ユーザは、携帯端末３から旅行先設定サイトにアクセスして、ユーザＩＤを入力する。旅行先設定サイトは、複数のエリアを選択可能に表示しており（図示せず）、ユーザは、複数のエリアから旅行先のエリアを選択できる。また、旅行先設定サイトは、旅行日程の入力項目を表示しており（図示せず）、ユーザは、旅行日程を入力できる。選択されたエリアと、入力された旅行日程と、ユーザＩＤとは、画像編集支援サーバ１に送信される。そして、画像編集支援サーバ１の制御部１０は、ユーザＩＤと、ユーザにより選択されたエリアのエリアＩＤと、旅行日程とを、ユーザＤＢ２１に記憶させる。
その後、画像編集支援サーバ１の制御部１０は、エリアＩＤで特定されるエリアの見所名等を見所ＤＢ２３から抽出して携帯端末３に対して送信する。そうすることで、ユーザは、旅行前に携帯端末３に表示された見所一覧等を見て、旅行先として選択されたエリアの見所を確認できる。
また、旅行先設定サイトには、支援アプリ３２ａのダウンロード用のボタンを選択可能に表示している（図示せず）。そこで、ユーザがそのボタンを選択することで、画像編集支援サーバ１の制御部１０は、支援アプリ３２ａを携帯端末３にダウンロードする。携帯端末３の制御部３０は、ダウンロードした支援アプリ３２ａを、記憶部３２に記憶させる。
【００２４】
＜旅行中処理＞
ユーザが実際に旅行に出かけた際に、携帯端末３を用いて行う処理について説明する。
図３は、第１実施形態に係る携帯端末３でのメイン処理を示すフローチャートである。
図４は、第１実施形態に係る携帯端末３の表示例を示す図である。
図３のステップＳ（以下、単に「Ｓ」という。）１０において、携帯端末３の制御部３０は、ユーザによる支援アプリ３２ａの起動の操作を受け付けて、支援アプリ３２ａを実行させる。
Ｓ１１において、制御部３０は、メニュー画面４０をタッチパネルディスプレイ３４に表示させる。図４（Ａ）は、メニュー画面４０を示す。メニュー画面４０は、「撮影モード」ボタン４０ａと、「見所登録モード」ボタン４０ｂと、「終了」ボタン４０ｃとを有する。
Ｓ１２において、制御部３０は、「撮影モード」ボタン４０ａが選択されたか否かにより、撮影モードにするか否かを判断する。「撮影モード」ボタン４０ａが選択された場合（Ｓ１２：ＹＥＳ）には、制御部３０は、処理をＳ１３に移す。他方、「撮影モード」ボタン４０ａが選択されていない場合（Ｓ１２：ＮＯ）には、制御部３０は、処理をＳ２０に移す。
【００２５】
Ｓ１３において、制御部３０は、撮影モードに遷移する。具体的には、制御部３０は、ＧＰＳ受信部３６及び撮影部３７を起動させる。そして、制御部３０は、撮影部３７により取得された画像（スルー画像）を、タッチパネルディスプレイ３４に表示させる。図４（Ｂ）は、撮影モードの際にタッチパネルディスプレイ３４に表示される撮影モード画面４１である。撮影モード画面４１は、スルー画像及び撮影時に撮影した画像を表示する画像表示部４１ａと、「撮影」ボタン４１ｂと、「終了」ボタン４１ｃとを有する。
Ｓ１４において、制御部３０は、ユーザによる「撮影」ボタン４１ｂ（図４（Ｂ））の選択を受け付けたか否かを判断する。「撮影」ボタン４１ｂの選択を受け付けた場合（Ｓ１４：ＹＥＳ）には、制御部３０は、処理をＳ１５に移す。他方、「撮影」ボタン４１ｂの選択を受け付けていない場合（Ｓ１４：ＮＯ）には、制御部３０は、処理をＳ１７に移す。
【００２６】
Ｓ１５において、制御部３０は、画像データを作成する。具体的には、制御部３０は、撮影部３７を介して画像を取得する。また、制御部３０は、ＧＰＳ受信部３６を介して撮影位置情報を取得する。そして、制御部３０は、画像と撮影位置情報とを関連付けた画像データを作成して、記憶部３２に記憶させる。
Ｓ１６において、制御部３０は、作成した画像データを、ユーザＩＤと共に画像編集支援サーバ１に対して送信する。
Ｓ１７において、制御部３０は、撮影モードを終了するか否かを判断する。撮影モードを終了する場合とは、例えば、ボタン４１ｃ（図４（Ｂ））が選択された場合をいう。撮影モードを終了する場合（Ｓ１７：ＹＥＳ）には、制御部３０は、処理をＳ２５に移す。他方、撮影モードを終了しない場合（Ｓ１７：ＮＯ）には、制御部３０は、処理をＳ１４に移す。
【００２７】
他方、Ｓ２０において、制御部３０は、「見所登録モード」ボタン４０ｂ（図４（Ａ））が選択されたか否かにより、見所登録モードにするか否かを判断する。「見所登録モード」ボタン４０ｂが選択された場合（Ｓ２０：ＹＥＳ）には、制御部３０は、処理をＳ２１に移す。他方、「見所登録モード」ボタン４０ｂが選択されていない場合（Ｓ２０：ＮＯ）には、制御部１０は、処理をＳ２５に移す。
Ｓ２１において、制御部３０は、見所登録モードに遷移する。具体的には、制御部３０は、ＧＰＳ受信部３６を起動させる。そして、制御部３０は、見所登録画面４２を、タッチパネルディスプレイ３４に表示させる。図４（Ｃ）は、見所登録画面４２を示す。見所登録画面４２は、見所登録部４２ａと、「登録」ボタン４２ｂと、「終了」ボタン４２ｃとを有する。見所登録部４２ａには、見所名、紹介文、距離範囲を指定するためのテキストボックスが配置されている。
Ｓ２２において、制御部３０は、ユーザによる「登録」ボタン４２ｂ（図４（Ｃ））の選択を受け付けたか否かを判断する。「登録」ボタン４２ｂの選択を受け付けた場合（Ｓ２２：ＹＥＳ）には、制御部３０は、処理をＳ２３に移す。他方、「登録」ボタン４２ｂの選択を受け付けていない場合（Ｓ２２：ＮＯ）には、制御部３０は、処理をＳ２４に移す。
Ｓ２３において、制御部３０は、登録要求を、画像編集支援サーバ１に対して送信する。具体的には、制御部３０は、ＧＰＳ受信部３６を介して位置情報を取得する。そして、制御部３０は、位置情報と見所登録部４２ａに入力された情報とを、ユーザＩＤと共に画像編集支援サーバ１に対して送信する。
【００２８】
Ｓ２４において、制御部３０は、見所登録モードを終了するか否かを判断する。見所登録モードを終了する場合とは、例えば、ボタン４２ｃ（図４（Ｃ））が選択された場合をいう。見所登録モードを終了する場合（Ｓ２４：ＹＥＳ）には、制御部３０は、処理をＳ２５に移す。他方、見所登録モードを終了しない場合（Ｓ２４：ＮＯ）には、制御部３０は、処理をＳ２２に移す。
Ｓ２５において、制御部３０は、支援アプリ３２ａを終了するか否かを判断する。支援アプリ３２ａを終了する場合とは、例えば、ユーザによって支援アプリ３２ａを終了する「終了」ボタン４０ｃ（図４（Ａ））が選択された場合等をいう。支援アプリ３２ａを終了する場合（Ｓ２５：ＹＥＳ）には、制御部３０は、本処理を終了する。他方、支援アプリ３２ａを終了しない場合（Ｓ２５：ＮＯ）には、制御部３０は、処理をＳ１１に移す。
【００２９】
次に、画像編集支援サーバ１の受信処理について説明する。受信処理は、画像編集支援サーバ１の制御部１０がデータを受信したことに応じて、都度実行される。
図５は、第１実施形態に係る画像編集支援サーバ１の受信処理を示すフローチャートである。
Ｓ３０において、画像編集支援サーバ１の制御部１０（画像データ受信部１１）は、ユーザＩＤと共に画像データを受信したか否かを判断する。画像データを受信した場合（Ｓ３０：ＹＥＳ）には、制御部１０は、処理をＳ３１に移す。他方、画像データを受信していない場合（Ｓ３０：ＮＯ）には、制御部１０は、処理をＳ３２に移す。
Ｓ３１において、制御部１０は、受信した画像データを、ユーザＩＤに対応付けてユーザＤＢ２１に記憶させる。その後、制御部１０は、本処理を終了する。
Ｓ３２において、制御部１０（登録要求受信部１７）は、ユーザＩＤと共に登録要求を受信したか否かを判断する。登録要求を受信した場合（Ｓ３２：ＹＥＳ）には、制御部１０は、処理をＳ３３に移す。他方、登録要求を受信していない場合（Ｓ３２：ＮＯ）には、制御部１０は、本処理を終了する。
Ｓ３３において、制御部１０（見所情報追加登録部１８）は、登録要求として受信した見所データを、見所ＤＢ２３に登録する。見所データは、位置情報と、見所名、紹介文、距離範囲の各情報と、ユーザＩＤとを含むデータである。その際、制御部１０は、見所を一義的に特定できるように、見所ＩＤを新たに付与する。
Ｓ３４において、制御部１０（見所情報追加登録部１８）は、見所ＩＤをエリアＤＢ２２の該当のエリアＩＤに追加する。その後、制御部１０は、本処理を終了する。
【００３０】
＜画像分類処理＞
次に、画像データを受信した画像編集支援サーバ１が行う画像分類処理について説明する。ここでは、画像データの分類を、旅行終了後にまとめて行うものとして説明する。
図６は、第１実施形態に係る画像編集支援サーバ１の画像分類処理を示すフローチャートである。
Ｓ４０において、画像編集支援サーバ１の制御部１０（画像分類部１２）は、旅行日程が終了したレコードをユーザＤＢ２１から特定し、特定したユーザＤＢ２１のレコードの画像データを抽出する。
Ｓ４１において、制御部１０（画像分類部１２）は、抽出した画像データから１つの画像データを選択する。
【００３１】
Ｓ４２において、制御部１０は、見所ＤＢ２３から見所データを抽出する。具体的には、制御部１０は、特定したユーザＤＢ２１のレコードからエリアＩＤを特定する。次に、制御部１０は、特定したエリアＩＤに対応付けられた見所ＩＤを、エリアＤＢ２２を参照して特定する。そして、制御部１０は、見所ＤＢ２３を参照して、特定した見所ＩＤに対応したデータのうち、ユーザＩＤが記憶されていないデータと、特定したユーザＤＢ２１のレコードに対応するユーザＩＤが記憶されているデータとを抽出する。つまり、制御部１０は、見所ＤＢ２３に予め登録されている見所のデータと、ユーザ自身が登録した見所のデータとを抽出する。
Ｓ４３において、制御部１０（画像分類部１２）は、抽出した見所ＤＢ２３のデータの中から見所位置情報を検索して、選択された画像データの撮影位置情報に最も一番近い位置にある見所を特定する。これは、制御部１０が、画像データの位置情報と、抽出した見所ＤＢ２３のデータの位置情報との緯度経度を用いて両者の距離差を算出することで、行うことができる。
Ｓ４４において、制御部１０（画像分類部１２）は、特定された見所位置情報からその見所に関連付けられた距離範囲に、画像データの撮影位置情報を含むか否かを判断する。特定された見所位置情報からその見所に関連付けられた距離範囲に、撮影位置情報を含む場合（Ｓ４４：ＹＥＳ）には、制御部１０は、処理をＳ４６に移す。他方、特定された見所位置情報からその見所に関連付けられた範囲内に、撮影位置情報を含まない場合（Ｓ４４：ＮＯ）には、制御部１０は、処理をＳ４５に移す。
【００３２】
Ｓ４５において、制御部１０（画像分類部１２）は、Ｓ４３において特定された見所を除いた見所であって、その見所の距離範囲に画像データの撮影位置情報を含むものがあるか否かを判断する。これは、例えば、見所位置情報と、撮影位置情報との距離差が大きくても、見所の距離範囲が広い場合には、見所の距離範囲内に撮影位置があることがあるので、そういったものを抽出するためのものである。見所の距離範囲に画像データの撮影位置情報を含むものがある場合（Ｓ４５：ＹＥＳ）には、制御部１０は、処理をＳ４６に移す。他方、見所の距離範囲に画像データの撮影位置情報を含むものがない場合（Ｓ４５：ＮＯ）には、制御部１０は、処理をＳ４７に移す。
Ｓ４６において、制御部１０（画像分類部１２）は、特定された見所位置情報に対応付けられた見所ＩＤと、画像データとを対応付けて、記憶部２０に記憶させる。なお、Ｓ４５において、複数の見所が特定された場合には、制御部１０は、例えば、見所位置情報と撮影位置情報との距離が最も小さいものを特定すればよい。その後、制御部１０は、処理をＳ４８に移す。
Ｓ４７において、制御部１０（画像分類部１２）は、画像データを分類不能として、記憶部２０に記憶させる。
【００３３】
Ｓ４８において、制御部１０（画像分類部１２）は、Ｓ４０で抽出した全ての画像データに対して処理を行ったか否かを判断する。全ての画像データに対して処理を行った場合（Ｓ４８：ＹＥＳ）には、制御部１０は、本処理を終了する。他方、全ての画像データに対して処理を行っていない場合（Ｓ４８：ＮＯ）には、制御部１０は、処理をＳ４１に移し、処理を行っていない画像データに対して処理を行う。
この処理によって、画像編集支援サーバ１は、画像データを、見所ごとに自動的に分類できる。
【００３４】
＜フォトブック作成処理＞
次に、旅行を終えたユーザが、フォトブックを作成する際に行う処理について説明する。
ユーザは、端末５を使用して、フォトブック作成サイトにアクセスする。フォトブック作成サイトは、画像編集支援サーバ１が有する。
図７は、第１実施形態に係る画像編集支援システム１００のフォトブック作成処理を示すフローチャートである。
図８は、第１実施形態に係る端末５に表示される画像編集画面６０の例を示す図である。
図７のＳ５０において、ユーザは、フォトブック作成サイトにアクセスしてユーザＩＤを入力する。そうすることで、端末５の制御部は、ユーザＩＤを、画像編集支援サーバ１に送信する。
Ｓ５１において、画像編集支援サーバ１の制御部１０は、ユーザＩＤを受信する。
Ｓ５２において、制御部１０（編集画面生成部１４）は、ユーザＩＤに対応付けられた画像データと、見所ＩＤとの対応付けを、記憶部２０から抽出する。
【００３５】
Ｓ５３において、制御部１０（編集画面生成部１４）は、抽出した画像データと見所ＩＤとの対応付けから、見所ＩＤに対応付けられた画像データの画像を用いて画像編集画面６０を生成する。具体的には、まず、制御部１０は、テンプレートＤＢ２４からテンプレートを１つ選択する。このテンプレートの選択は、ユーザからの指示により行ってもよいし、予め決めておいたテンプレートにしてもよい。次に、制御部１０は、選択したテンプレートに、ある見所ＩＤに対応した見所関連情報部２３ａの内容と、画像とが１つの画面に収まるように画像の大きさを変更して配置して、画像編集画面６０を生成する。制御部１０（編集画面生成部１４）は、これを、画像データ全てに対して行う。なお、制御部１０は、分類不能とした画像データの画像を、分類不能のページに配置する。
Ｓ５４において、制御部１０（編集画面送信部１５）は、生成した画像編集画面６０を、端末５に送信する。
Ｓ５５において、端末５の制御部は、画像編集画面６０を受信して、表示部に表示させる。
【００３６】
図８は、端末５の表示部に表示された画像編集画面６０の一例である。
画像編集画面６０は、見所名６０ａと、紹介文６０ｂと、紹介画像６０ｃと、複数の画像６１とを有する。見所名６０ａと、紹介文６０ｂと、紹介画像６０ｃとは、見所ＤＢ２３の見所関連情報部２３ａにある見所名、紹介文、紹介画像に対応する。また、複数の画像６１は、上述の画像分類処理（図６）において、見所名６０ａの見所ＩＤに対応付けられたものである。複数の画像６１は、その数に応じて、見開きの１ページに収まるように、拡大及び縮小して貼り付けられている。なお、１つの見所について、例えば、画像が複数ページにまたがるような指定をしたてもよく、その場合には、１つの見所に対して複数ページにまたがるようにしてもよい。なお、分類不能の画像を配置したページは、最後のページに配置される。
【００３７】
図７に戻り、Ｓ５６において、端末５の制御部は、ユーザからの操作に基づいて画像編集画面６０を編集する。ユーザは、端末５の表示部に表示された画像編集画面６０をユーザの好きなようにカスタマイズできる。
Ｓ５７において、ユーザが注文処理を行うことで、端末５の制御部は、編集後画面を画像編集支援サーバ１に送信する。なお、注文処理は、例えば、画像編集画面６０と共に画像編集支援サーバ１から送信された操作パネル（図示せず）の操作により行うことができる。その後、端末５の制御部は、本処理を終了する。
Ｓ５８において、画像編集支援サーバ１の制御部１０は、編集後画面を受信して、フォトブックを作成する。画像編集支援サーバ１では、編集後画面を印刷装置（図示せず）に送信することで、印刷装置では、印刷及び製本処理がされる。その後、画像編集支援サーバ１の制御部１０は、本処理を終了する。なお、製本処理がされたフォトブックは、郵送等によりユーザの手元に届けられる。
【００３８】
このように、第１実施形態の画像編集支援サーバ１によれば、以下のような効果がある。
（１）画像データに撮影位置情報を有するので、見所ＤＢ２３に記憶された見所位置情報と、画像データの撮影位置情報とから、画像データを見所ごとに分類できる。そして、見所ＤＢ２３に記憶された見所関連情報部２３ａの内容と、見所ごとに分類された画像とを、テンプレートＤＢ２４のテンプレートにしたがって配置することで、画像編集画面６０を生成して、端末５に送信できる。
これにより、端末５に送信された画像編集画面６０は、フォトブック作成のための初期配置画面であるので、ユーザは、そこから編集等を行えばよく、フォトブックを容易に作成のための支援を行うことができる。
【００３９】
（２）画像データの撮影位置情報と、見所ＤＢ２３に記憶された見所位置情報との距離に応じて、見所を特定して分類する。よって、両者の距離が近ければ、その見所に対応付けて分類することができ、自動的に、その見所に関する画像を集めることができる。
ここで、見所が、公園等の広い範囲に及ぶものや、ピンポイントの範囲のものについても、各々の見所に対した距離範囲を見所ＤＢ２３に記憶することで、距離範囲を考慮でき、画像を、より正確にその見所に対応付けて分類することができる。
（３）画像データの撮影位置情報から最短の距離の見所に対応付けて分類ができる。よって、例えば、複数の見所の見所位置情報に近い場合であっても、画像を、より正確に見所に対応付けて分類することができる。
さらに、画像データの撮影位置情報が複数の見所のいずれからも近くはない場合には、分類不能にする。よって、分類不能に分類された画像をまとめることができる。
【００４０】
（４）画像データの撮影位置情報と、見所の見所位置情報とは、緯度経度データであるので、座標で表することができ、両者の距離の算出を容易に行うことができる。よって、簡易な処理によって、画像データを見所の位置に応じて分類できる。
（５）同一の分類がされた画像を、同じページに配置できる。よって、ユーザは、一度にそれらの画像を見ることができるので、編集しやすいものにできる。
（６）ユーザは、新たな見所を追加できるので、そのユーザのオリジナルの見所によって画像データを分類できる。また、追加した見所は、画像分類処理において、そのユーザだけが使用でき、他のユーザは使用できない。よって、分類対象の見所が不要に増えることを抑制でき、さらに、他のユーザが登録した新たな見所によってユーザが意図しない編集がされることを防ぐことができる。
【００４１】
（第２実施形態）
第２実施形態では、画像データの友達による共有と、フォトブック作成のための他の支援方法とについて説明する。なお、以降の説明において、上述した第１実施形態と同様の機能を果たす部分には、同一の符号又は末尾に同一の符号を付して、重複する説明を適宜省略する。
＜画像編集支援システム２００の全体構成＞
図９は、第２実施形態に係る画像編集支援システム２００の全体構成及び機能ブロックを示す図である。
画像編集支援システム２００は、画像編集支援サーバ２０１と、携帯端末２０３と、端末５とを備えている。
【００４２】
＜画像編集支援サーバ２０１＞
画像編集支援サーバ２０１は、制御部２１０と、記憶部２２０と、通信部２９とを備える。
画像編集支援サーバ２０１の制御部２１０は、画像データ受信部１１と、画像分類部２１２と、関連情報付与部２１３と、編集画面生成部２１４と、編集画面送信部１５と、登録要求受信部１７と、見所情報追加登録部１８とを備える。
画像分類部２１２は、画像データ受信部１１が受信した画像データの撮影位置情報と、見所ＤＢ２３に記憶された見所位置情報とに基づいて、見所ごとに画像データを分類する。その際、画像分類部２１２は、見所ＤＢ２３に記憶された見所のうち、ユーザＩＤが記憶されていない見所と、そのユーザのユーザＩＤが対応付けられた見所との他、友達関係にある他のユーザＩＤが対応付けられた見所をも分類対象にする。
関連情報付与部２１３は、画像分類部２１２によって画像データが分類不能になった場合に、その画像データよりも前に撮影された画像データであって分類された直近の画像データの見所に対応した見所関連情報を、その画像データに対応付ける。
【００４３】
編集画面生成部２１４は、画像分類部２１２により同じ分類にされた画像と、その見所に対応する見所名や紹介文等とを配置して、ユーザによる編集が可能な画像編集画面を生成する。そして、編集画面生成部２１４は、画像データが連写によるものである場合に、そのうちの１つの画像を配置して、連写による画像であることを識別可能に表示した画像編集画面を生成する。また、編集画面生成部２１４は、画像データにテキスト情報を含む場合に、画像に近接した位置にテキスト情報を配置した画像編集画面を生成する。さらに、編集画面生成部２１４は、ユーザに対応付けられた画像と、そのユーザと友達関係にある他のユーザに対応付けられた画像とを配置して画像編集画面を生成する。その場合に、編集画面生成部２１４は、そのユーザの画像と、他のユーザの画像とを識別可能にする。
【００４４】
記憶部２２０は、ユーザＤＢ２１と、エリアＤＢ２２と、見所ＤＢ２３と、テンプレートＤＢ２４と、友達ＤＢ２２５（共有記憶部）とを備える。
友達ＤＢ２２５は、友達関係にある複数のユーザＩＤを関連付けて記憶する記憶領域である。友達関係にある複数のユーザとは、例えば、一緒に旅行したユーザ同士をいう。なお、友達ＤＢ２２５は、ＳＮＳ（Ｓｏｃｉａｌ  Ｎｅｔｗｏｒｋｉｎｇ  Ｓｅｒｖｉｃｅ）等により予め設定されたものを使用してもよい。
【００４５】
＜携帯端末２０３＞
携帯端末２０３は、制御部２３０と、記憶部２３２と、タッチパネルディスプレイ３４と、ＧＰＳ受信部３６と、撮影部３７と、通信部３９とを備える。
制御部２３０は、携帯端末２０３の全体を制御するＣＰＵである。制御部２３０は、日時を計測する計時機構（図示せず）を備える。
記憶部２３２は、制御部２３０が各種の処理を実行するために必要なプログラム、データ等を記憶するための半導体メモリ素子等の記憶領域である。記憶部２３２は、後述する支援アプリ２３２ａを備える。
【００４６】
＜旅行前処理＞
旅行前処理は、第１実施形態と同様である。
＜旅行中処理＞
ユーザが実際に旅行に出かけた際に、携帯端末２０３を用いて行う処理について説明する。
図１０は、第２実施形態に係る携帯端末２０３の表示例を示す図である。
携帯端末２０３を用いて行う処理は、以下の処理を除いて第１実施形態（図３）と同様である。
図３のＳ１０に相当する処理において、携帯端末２０３の制御部２３０は、ユーザによる支援アプリ２３２ａの起動の操作を受け付けて、支援アプリ２３２ａを実行させる。
図３のＳ１５に相当する処理において、制御部２３０は、画像データを作成する。具体的には、制御部２３０は、撮影部３７を介して画像を取得する。また、制御部２３０は、ＧＰＳ受信部３６を介して撮影位置情報を取得する。さらに、制御部２３０は、日時情報を取得する。日時情報は、例えば、携帯端末２０３が備える計時機構により取得できる。さらにまた、制御部２３０は、画像撮影時にテキスト情報が入力された場合には、入力されたテキスト情報を取得する。そして、制御部２３０は、画像と、撮影位置情報と、日時情報と、テキスト情報とを関連付けた画像データを作成して、記憶部３２に記憶させる。
【００４７】
図１０（Ａ）に示す撮影モード画面２４１において、ユーザが「撮影」ボタン４１ｂを選択した場合には、制御部２３０は、図１０（Ｂ）に示すように、撮影モード画面２４１−２をタッチパネルディスプレイ３４に表示する。図１０（Ｂ）は、撮影時に撮影した画像を表示した画像表示部４１ａと、テキスト入力部２４１ｄと、「保存」ボタン２４１ｅとを有する撮影モード画面２４１−２である。この撮影モード画面２４１−２にて、ユーザがテキスト入力部２４１ｄに文字を入力し、「保存」ボタン２４１ｅを選択することで、画像データにテキスト情報が関連付けられる。
なお、画像編集支援サーバ２０１の受信処理は、第１実施形態（図５）と同様である。
【００４８】
＜画像分類処理＞
次に、画像データを受信した画像編集支援サーバ２０１が行う画像分類処理について説明する。
図１１は、第２実施形態に係る画像編集支援サーバ２０１の画像分類処理を示すフローチャートである。
Ｓ２４０は、第１実施形態（図６）のＳ４０と同様である。
Ｓ２４１において、制御部２１０（画像分類部２１２）は、抽出した画像データから１つの画像データを選択する。画像データの選択は、画像データの日時情報を用いて、日時の古い順に行う。
【００４９】
Ｓ２４２において、制御部２１０は、見所ＤＢ２３から見所データを抽出する。具体的には、制御部２１０は、特定したユーザＤＢ２１のレコードからエリアＩＤを特定する。次に、制御部２１０は、特定したエリアＩＤに対応付けられた見所ＩＤを、エリアＤＢ２２を参照して特定する。そして、制御部２１０は、見所ＤＢ２３を参照して、特定した見所ＩＤに対応したデータのうち、まず、ユーザＩＤが記憶されていないデータを抽出する。また、制御部２１０は、友達ＤＢ２２５を参照して、特定したユーザＤＢ２１のレコードに対応する自身のユーザＩＤに対して友達関係にある他のユーザＩＤを特定し、見所ＤＢ２３を参照して、特定した見所ＩＤに対応したデータのうち、自身のユーザＩＤ及び友達関係にある他のユーザＩＤが記憶されているデータを抽出する。
Ｓ２４３からＳ２４６までは、第１実施形態（図６）のＳ４３からＳ４６までと同様である。
Ｓ２４７において、制御部２１０（画像分類部２１２）は、画像データを分類不能として、記憶部２２０に記憶させる。その際、制御部２１０は、それより前に分類できた画像データの見所ＩＤを、その画像データに対応付ける。
Ｓ２４８は、第１実施形態（図６）のＳ４８と同様である。
【００５０】
＜フォトブック作成処理＞
次に、旅行を終えたユーザが、フォトブックを作成する際に行う処理について説明する。
図１２は、第２実施形態に係る画像編集支援システム２００のフォトブック作成処理を示すフローチャートである。
図１３は、第２実施形態に係る端末５に表示される画像編集画面２６０の例を示す図である。
図１２のＳ２５０からＳ２５２までは、第１実施形態（図７）のＳ５０からＳ５２までと同様である。
Ｓ２５３において、画像編集支援サーバ２０１の制御部２１０（編集画面生成部２１４）は、友達ＤＢ２２５を参照して、ユーザＩＤに関連付けられた他のユーザＩＤを抽出する。そして、制御部２１０（編集画面生成部２１４）は、他のユーザＩＤに対応付けられた画像データと、見所ＩＤとの対応付けを、記憶部２２０から抽出する。
【００５１】
Ｓ２５４において、制御部２１０（編集画面生成部２１４）は、Ｓ２５２及びＳ２５３にて抽出した画像データと見所ＩＤとの対応付けから、見所ＩＤに対応付けられた画像データの画像を用いて画像編集画面２６０を生成する。具体的には、まず、制御部２１０は、テンプレートＤＢ２４からテンプレートを１つ選択する。次に、制御部２１０は、選択したテンプレートに、ある見所ＩＤに対応した見所関連情報部２３ａの内容と、画像とが１つの画面に収まるように画像の大きさを変更して配置して、画像編集画面６０を生成する。制御部２１０（編集画面生成部２１４）は、これを、画像データ全てに対して行う。
その際、画像は、画像データの日時情報に基づいて、日時の古い順に配置される。また、制御部２１０は、連写により撮影された画像をまとめて、そのうちの１つの画像を配置する。さらに、制御部２１０は、自身のユーザＩＤに対応付けられた画像と、他のユーザＩＤに対応付けられた画像とを、識別可能な態様に配置する。さらに、制御部２１０は、画像データにテキスト情報を含む場合に、テキスト情報を画像の近くに配置する。
Ｓ２５５からＳ２５９までは、第１実施形態（図７）のＳ５４からＳ５８までと同様である。
【００５２】
ここで、端末５の表示部に表示された画像編集画面２６０の例を、図１３に基づき説明する。
画像編集画面２６０は、見所名６０ａと、紹介文６０ｂと、紹介画像６０ｃと、複数の画像とを有する。複数の画像は、このユーザ自身で取得した画像と、このユーザの友達が取得した画像とを含む。そして、画像編集画面２６０では、ユーザ自身で取得した画像と、このユーザの友達が取得した画像を識別可能にするために、友達が取得した画像は、画像の周囲を太線で表示している。画像２６２ａ及び画像２６２ｂは、友達が撮影した画像である。また、画像編集画面２６０では、連写した画像がわかるように表示している。領域２６３には、連写した画像のうち１つの画像を表示し、連写ボタンを表示している。ユーザは、連写ボタンを選択することで、連写した複数の画像を、別画面（図示せず）に表示させることができる。また、ユーザは、別画面に表示された複数の画像から１又は複数の画像を指定して、画像編集画面２６０に反映させることができる。なお、画像編集支援サーバ２０１の制御部２１０は、連写した画像を、画像データの日時情報により判断できる。具体的には、制御部２１０は、ある２つの画像の日時情報の差が所定の時間間隔より短い場合に、連写したものとする。また、画像編集画面２６０では、画像のコメントを表示している。領域２６４には、画像に近接した位置である画像の直下に、テキスト情報を表示している。ユーザは、消ボタンを選択することで、テキスト情報を消去できる。
【００５３】
なお、図１３に例示した画像編集画面２６０は、１つの見所に対して複数ページにまたがって画像を配置したものである。
また、図示していないが、制御部２１０は、分類不能とした画像データの画像を、分類不能のページに配置する。そして、制御部２１０は、配置した画像に近接した位置に、その画像より前に取得されたものであり、分類された見所の見所名を表示させる。
【００５４】
このように、第２実施形態の画像編集支援サーバ２０１によれば、以下のような効果がある。
（１）友達ＤＢ２２５を有するので、ユーザと友達関係にある他のユーザが撮影した画像を、フォトブックで使用できる。よって、友達関係にあるユーザの画像を共有できる。
また、友達ＤＢ２２５を使用して、ユーザと友達関係にある他のユーザが登録した見所を用いて画像を分類できる。よって、そのユーザ及びそのユーザの友達である他のユーザのうち誰か１人が見所を登録すれば、その見所が画像の分類に反映されるので、全体として見所を登録する手間を抑えることができる。
（２）画像にテキスト情報が関連付けられている場合に、画像に近接した位置にテキスト情報を配置するので、撮影時にコメントを入力しておけば、そのコメントも配置できる。よって、画像を撮影した際のユーザの気持ちや、場所に関する情報を、フォトブックに自動的に載せることができる。
（３）連写により撮影された複数の画像に関しては、そのうちの１つを表示して、連写によって複数の画像を有することが分かるように示すことができる。よって、ユーザは、編集時に、連写画像を抽出してピックアップする、等の編集を行うことができる。また、同じような画像を、複数配置するのを抑制できる。
【００５５】
（４）分類不能に分類された画像データと、その画像よりも前に撮影されて分類された見所とを対応付ける。よって、対応付けた見所の見所名を、分類不能に分類された画像に関連付けて表示することで、フォトブック作成時にユーザがどこで撮影されたものかがわかるようにでき、分類するためのヒントをユーザに与えることができる。
【００５６】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５７】
（変形形態）
（１）各実施形態では、携帯端末をスマートフォンに代表される情報端末として説明したが、これに限定されない。例えば、パーソナルコンピュータや、通信機能を有したカメラであってもよい。
（２）各実施形態では、携帯端末が、画像を撮影して画像データを作成した際に、作成した画像データをその都度画像編集支援サーバに送信するものとして説明したが、これに限定されない。旅行中に撮影して作成した画像データを、旅行後にまとめて画像編集支援サーバに対して送信してもよい。
（３）各実施形態では、携帯端末３と、端末５とは、別の端末として説明したが、同じ端末であってもよい。
（４）各実施形態では、画像分類処理は、旅行終了後にまとめて行うものとして説明したが、これに限定されない。例えば、フォトブック作成時に行ってもよいし、画像データを受信した都度行ってもよい。
（５）第２実施形態では、フォトブック作成の際に抽出する画像データを、友達関係にある他のユーザＩＤに対応付けられた画像データをも抽出するものとして説明したが、これに限定されない。抽出する画像データは、自身のユーザＩＤに対応付けられた画像データのみとしてもよい。その場合であっても、見所は、友達関係にある他のユーザが登録したものを反映できる。
【符号の説明】
【００５８】
１，２０１  画像編集支援サーバ
３，２０３    携帯端末
５    端末
１０，２１０  制御部
１１  画像データ受信部
１２，２１２  画像分類部
１４，２１４  編集画面生成部
１５  編集画面送信部
１７  登録要求受信部
１８  見所情報追加登録部
２０，２２０  記憶部
２１  ユーザＤＢ
２２  エリアＤＢ
２３  見所ＤＢ
２４  テンプレートＤＢ
３０，２３０  制御部
３２，２３２  記憶部
３２ａ  支援アプリ
３６  ＧＰＳ受信部
３７  撮影部
６０，２６０  画像編集画面
１００，２００  画像編集支援システム
２１３  関連情報付与部
２２５  友達ＤＢ
Ｎ    通信ネットワーク
【図１】
0006402523.tif 000002
【図２】
0006402523.tif 000003
【図３】
0006402523.tif 000004
【図４】
0006402523.tif 000005
【図５】
0006402523.tif 000006
【図６】
0006402523.tif 000007
【図７】
0006402523.tif 000008
【図８】
0006402523.tif 000009
【図９】
0006402523.tif 000010
【図１０】
0006402523.tif 000011
【図１１】
0006402523.tif 000012
【図１２】
0006402523.tif 000013
【図１３】
0006402523.tif 000014